(57)【特許請求の範囲】
【請求項１】
中心軸周りを自転可能な回転体を有する被操作物に近づけたときに、上記回転体と係合して当該回転体との軸合わせをする第１係合部を有するツマミ軸体と、
装着対象物に対し、上記ツマミ軸体とともに手動により一定のストロークで上記ツマミ軸体の軸方向に抜き挿しすることが可能に装着され、外力による軸回転操作が可能であり、上記軸合わせ後の軸回転操作時に、上記回転体に設けられた被係合部と回転外力を伝達可能に係合する第２係合部を有するツマミと、
上記ツマミを抜き出す外力が解除されたときに、当該ツマミを上記ストロークの挿し込み限度の位置に戻す付勢手段と、
を有する回転ツマミ。
【請求項２】
上記ツマミと上記回転体に、係合部位の大きさが異なる複数の第２係合部と複数の被係合部とを有することで、上記ツマミと上記回転体との軸回転方向の相対的な位置が一意に決められる
請求項１に記載の回転ツマミ。
【請求項３】
上記被操作物は、同じ軸中心に独立に回転可能な第１回転体と第２回転体を有し、
上記ツマミは、
上記ツマミ軸体と固定されて軸回転し、上記第１回転体に設けられた被係合部に第２係合部が係合することで回転外力を第１回転体に伝達可能となる第１ツマミと、
上記ツマミ軸体を軸に上記第１ツマミと独立に回転し、上記第２回転体に設けられた被係合部に第２係合部が係合することで回転外力を第２回転体に伝達可能となる第２ツマミと
を有する請求項１記載の回転ツマミ。
【請求項４】
上記ツマミ軸体と上記第１回転体、上記第２ツマミと上記第２回転体は、それぞれの組ごとに、係合部位の大きさが異なる複数の第２係合部と複数の被係合部とを有することで、上記ツマミ軸体と上記第１回転体、上記第２ツマミと上記第２回転体のそれぞれの組で、軸回転方向の相対的な位置が一意に決められる
請求項３に記載の回転ツマミ。
【請求項５】
上記ツマミ軸体と上記第２ツマミの各々は、上記第１または第２回転体に設けた対応するピン穴に適合し大きさが異なる径の複数のピンを有し、上記ツマミ軸体に設けた中心ピン、上記ツマミ軸体と上記第２ツマミの一方に設けたピン、他方に設けたピンの順で、上記被操作物側に上記複数のピンの各先端が突出している
請求項４記載の回転ツマミ。
【請求項６】
ディスク、上記ディスクを回転可能に保持する保持体、および、中心軸回りを自転するときの回転力で上記ディスクを回転させる回転体を備えるディスクユニットと、
上記ディスクユニットを収容する収容物の壁部に設けられた穴に取り付けられる回転ツマミと、
を有し、
上記回転ツマミは、
上記保持体を上記収容物に収容したときに、上記回転体と係合して当該回転体との軸合わせをする第１係合部を有するツマミ軸体と、
上記壁部の穴に対し、上記ツマミ軸体とともに手動により一定のストロークで上記ツマミ軸体の軸方向に抜き挿しすることが可能に装着され、外力による軸回転操作が可能であり、上記軸合わせ後の軸回転操作時に、上記回転体に設けられた被係合部と回転外力を伝達可能に係合する第２係合部を有するツマミと、
上記ツマミを抜き出す外力が解除されたときに、当該ツマミを上記ストロークの挿し込み限度の位置に戻す付勢手段と、
を有するディスク回転操作装置。
【請求項７】
上記ツマミと上記回転体に、係合部位の大きさが異なる複数の第２係合部と複数の被係合部とを有することで、上記ツマミと上記回転体との軸回転方向の相対的な位置が一意に決められる
請求項６に記載のディスク回転操作装置。
【請求項８】
上記ディスクユニットは、同じ軸中心に独立に回転可能な第１回転体と第２回転体を有し、
上記ツマミは、
上記ツマミ軸体と固定されて軸回転し、上記第１回転体に設けられた被係合部に第２係合部が係合することで回転外力を第１回転体に伝達可能となる第１ツマミと、
上記ツマミ軸体を軸に上記第１ツマミと独立に回転し、上記第２回転体に設けられた被係合部に第２係合部が係合することで回転外力を第２回転体に伝達可能となる第２ツマミと
を有する請求項６記載のディスク回転操作装置。
【請求項９】
上記ツマミ軸体と上記第１回転体、上記第２ツマミと上記第２回転体は、それぞれの組ごとに、係合部位の大きさが異なる複数の第２係合部と複数の被係合部とを有することで、上記ツマミ軸体と上記第１回転体、上記第２ツマミと上記第２回転体のそれぞれの組で、軸回転方向の相対的な位置が一意に決められる
請求項８に記載のディスク回転操作装置。
【請求項１０】
上記ツマミ軸体と上記第２ツマミの各々は、上記第１または第２回転体に設けた対応するピン穴に適合し大きさが異なる径の複数のピンを有し、上記ツマミ軸体に設けた中心ピン、上記ツマミ軸体と上記第２ツマミの一方に設けたピン、他方に設けたピンの順で、上記被操作物側に上記複数のピンの各先端が突出している
請求項９記載のディスク回転操作装置。
【請求項１１】
筐体と、
複数の光学フィルタを保持するディスクと、
上記ディスクを軸回転させることで撮像光路に挿入する光学フィルタの切り換えができ、上記ディスクを軸回転可能に保持した状態で筐体内から筐体外に引き出すことが可能なディスクユニットと、
上記ディスクユニットに設けられ、中心軸周りの自転量に応じて上記撮像光路に挿入するディスクの切り替えを行う回転体と、
上記筐体の壁部に設けられ穴に装着され、上記ディスクユニットを引き出すときに退避可能な回転ツマミと、
を有し、
上記回転ツマミは、
上記回転体と係合して当該回転体との軸合わせをする第１係合部を有するツマミ軸体と、
上記壁部の穴に対し、上記ツマミ軸体とともに手動により一定のストロークで上記ツマミ軸体の軸方向に抜き挿しすることが可能に装着され、外力による軸回転操作が可能であり、上記軸合わせ後の軸回転操作時に、上記回転体に設けられた被係合部と回転外力を伝達可能に係合する第２係合部を有するツマミと、
上記ツマミを抜き出す外力が解除されたときに、当該ツマミを上記ストロークの挿し込み限度の位置に戻す付勢手段と、
を有する撮像装置。
【請求項１２】
上記ツマミと上記回転体に、係合部位の大きさが異なる複数の第２係合部と複数の被係合部とを有することで、上記ツマミと上記回転体との軸回転方向の相対的な位置が一意に決められる
請求項１１に記載の撮像装置。
【請求項１３】
上記被操作物は、同じ軸中心に独立に回転可能な第１回転体と第２回転体を有し、
上記ツマミは、
上記ツマミ軸体と固定されて軸回転し、上記第１回転体に設けられた被係合部に第２係合部が係合することで回転外力を第１回転体に伝達可能となる第１ツマミと、
上記ツマミ軸体を軸に上記第１ツマミと独立に回転し、上記第２回転体に設けられた被係合部に第２係合部が係合することで回転外力を第２回転体に伝達可能となる第２ツマミと
を有する請求項１１記載の撮像装置。
【請求項１４】
上記ツマミ軸体と上記第１回転体、上記第２ツマミと上記第２回転体は、それぞれの組ごとに、係合部位の大きさが異なる複数の第２係合部と複数の被係合部とを有することで、上記ツマミ軸体と上記第１回転体、上記第２ツマミと上記第２回転体のそれぞれの組で、軸回転方向の相対的な位置が一意に決められる
請求項１３に記載の撮像装置。
【請求項１５】
上記ツマミ軸体と上記第２ツマミの各々は、上記第１または第２回転体に設けた対応するピン穴に適合し大きさが異なる径の複数のピンを有し、上記ツマミ軸体に設けた中心ピン、上記ツマミ軸体と上記第２ツマミの一方に設けたピン、他方に設けたピンの順で、上記被操作物側に上記複数のピンの各先端が突出している
請求項１４記載の撮像装置。
【発明の詳細な説明】
【０００１】
【発明の属する技術分野】
本発明は、手動で被操作物に回転力を付与する回転ツマミと、当該回転ツマミと着脱可能に形成され、連結時に回転ツマミの回転力を受けてディスクを回転させるディスク回転操作装置とに関する。また、本発明は、複数の光学フィルタを保持したディスクをユニットごと着脱可能に内蔵し、複数の光学フィルタの組合せが自由に変更できる放送用ポータブルビデオカメラなどの撮像装置に関する。
【０００２】
【従来の技術】
放送用ポータブルビデオカメラは、被写体の種類に応じて適切な光学フィルタを選択し、また撮影画像に意図的に特殊効果をもたせるために、複数の光学フィルタを保持したフィルタディスクを予め内蔵した機種がある。
【０００３】
通常の撮影では、標準装備のフィルタディスクで十分対応できる。
ところが、高度な撮影手法を行う際に、被写体の種類、撮影環境の違い、さらにはカメラマンの画作りの好みによって、フィルタディスクに保持する光学フィルタの組合せを予め変えたフィルタディスクを複数枚用意しておき、状況に応じて自由にフィルタディスクごと交換する必要がある。また、機器のメンテナンス作業の際にも、フィルタディスクの取り出しが容易にできると便利である。
そこで、フィルタディスクを脱着できる機種が既に実用化されている。
【０００４】
一方で、フィルタディスクを軸回転させて、使用するフィルタを切り換える動作は、内蔵したモータを用いてリモートで行うのが一般的である。
しかし、たとえば、今使用していたフィルタを他のフィルタに切り換えて、さらに直ぐ元のフィルタに切り換えるなどの高度なフィルタワークを行うには、リモートのフィルタ切換動作では迅速な対応ができないことがある。このような理由から、リモートのほかに手動によるフィルタ切り換えができるようにしてほしいとのユーザの要望がある。
【０００５】
【発明が解決しようとする課題】
ところが、従来の放送用ビデオカメラでは、フィルタディスクを着脱可能とした機種において、手動でフィルタを切り換えるための手段を設けたものは未だ実用化されていない。
【０００６】
本発明の第１の目的は、手動で被操作物の回転体に回転力を付与し、かつ、被操作物の着脱が可能な回転ツマミと、当該回転ツマミに適合した連結機構を有するディスク回転操作装置とを新たに提案することにある。また、本発明の第２の目的は、上記回転ツマミを光学フィルタを保持したディスクの手動操作用ツマミに応用した撮像装置を新たに提供することにある。
【０００７】
【課題を解決するための手段】
本発明の第１の観点に係る回転ツマミは、中心軸周りを自転可能な回転体を有する被操作物に近づけたときに、上記回転体と係合して当該回転体との軸合わせをする第１係合部を有するツマミ軸体と、装着対象物に対し、上記ツマミ軸体とともに手動により一定のストロークで上記ツマミ軸体の軸方向に抜き挿しすることが可能に装着され、外力による軸回転操作が可能であり、上記軸合わせ後の軸回転操作時に、上記回転体に設けられた被係合部と回転外力を伝達可能に係合する第２係合部を有するツマミと、上記ツマミを抜き出す外力が解除されたときに、当該ツマミを上記ストロークの挿し込み限度の位置に戻す付勢手段と、を有する。
【０００８】
また、本発明では好適に、上記被操作物は、同じ軸中心に独立に回転可能な第１回転体と第２回転体を有し、上記ツマミは、上記ツマミ軸体と固定されて軸回転し、上記第１回転体に設けられた被係合部に第２係合部が係合することで回転外力を第１回転体に伝達可能となる第１ツマミと、上記ツマミ軸体を軸に上記第１ツマミと独立に回転し、上記第２回転体に設けられた被係合部に第２係合部が係合することで回転外力を第２回転体に伝達可能となる第２ツマミとを有する。
また、好適に、上記ツマミ軸体と上記第１回転体、上記第２ツマミと上記第２回転体は、それぞれの組ごとに、係合部位の大きさが異なる複数の第２係合部と複数の被係合部とを有することで、上記ツマミ軸体と上記第１回転体、上記第２ツマミと上記第２回転体のそれぞれの組で、軸回転方向の相対的な位置が一意に決められる。具体的には、上記ツマミ軸体と上記第２ツマミの各々は、上記第１または第２回転体に設けた対応するピン穴に適合し大きさが異なる径の複数のピンを有し、上記ツマミ軸体に設けた中心ピン、上記ツマミ軸体と上記第２ツマミの一方に設けたピン、他方に設けたピンの順で、上記被操作物側に上記複数のピンの各先端が突出している。
【００１０】
本発明の第２の観点に係るディスク回転操作装置は、ディスク、上記ディスクを回転可能に保持する保持体、および、中心軸回りを自転するときの回転力で上記ディスクを回転させる回転体を備えるディスクユニットと、上記ディスクユニットを収容する収容物の壁部に設けられた穴に取り付けられる回転ツマミと、を有し、上記回転ツマミは、上記保持体を上記収容物に収容したときに、上記回転体と係合して当該回転体との軸合わせをする第１係合部を有するツマミ軸体と、上記壁部の穴に対し、上記ツマミ軸体とともに手動により一定のストロークで上記ツマミ軸体の軸方向に抜き挿しすることが可能に装着され、外力による軸回転操作が可能であり、上記軸合わせ後の軸回転操作時に、上記回転体に設けられた被係合部と回転外力を伝達可能に係合する第２係合部を有するツマミと、上記ツマミを抜き出す外力が解除されたときに、当該ツマミを上記ストロークの挿し込み限度の位置に戻す付勢手段と、を有する。
【００１１】
また、本発明では、上記ディスク回転操作装置において、上記ディスクユニットは、同じ軸中心に独立に回転可能な第１回転体と第２回転体を有し、上記ツマミは、上記ツマミ軸体と固定されて軸回転し、上記第１回転体に設けられた被係合部に第２係合部が係合することで回転外力を第１回転体に伝達可能となる第１ツマミと、上記ツマミ軸体を軸に上記第１ツマミと独立に回転し、上記第２回転体に設けられた被係合部に第２係合部が係合することで回転外力を第２回転体に伝達可能となる第２ツマミとを有する。
【００１３】
本発明の第３の観点に係る撮像装置は、筐体と、複数の光学フィルタを保持するディスクと、上記ディスクを軸回転させることで撮像光路に挿入する光学フィルタの切り換えができ、上記ディスクを軸回転可能に保持した状態で筐体内から筐体外に引き出すことが可能なディスクユニットと、上記ディスクユニットに設けられ、中心軸周りの自転量に応じて上記撮像光路に挿入するディスクの切り替えを行う回転体と、上記筐体の壁部に設けられ穴に装着され、上記ディスクユニットを引き出すときに退避可能な回転ツマミと、を有し、上記回転ツマミは、上記回転体と係合して当該回転体との軸合わせをする第１係合部を有するツマミ軸体と、上記壁部の穴に対し、上記ツマミ軸体とともに手動により一定のストロークで上記ツマミ軸体の軸方向に抜き挿しすることが可能に装着され、外力による軸回転操作が可能であり、上記軸合わせ後の軸回転操作時に、上記回転体に設けられた被係合部と回転外力を伝達可能に係合する第２係合部を有するツマミと、上記ツマミを抜き出す外力が解除されたときに、当該ツマミを上記ストロークの挿し込み限度の位置に戻す付勢手段と、を有する。
【００１４】
また、本発明では好適に、上記被操作物は、同じ軸中心に独立に回転可能な第１回転体と第２回転体を有し、上記ツマミは、上記ツマミ軸体と固定されて軸回転し、上記第１回転体に設けられた被係合部に第２係合部が係合することで回転外力を第１回転体に伝達可能となる第１ツマミと、上記ツマミ軸体を軸に上記第１ツマミと独立に回転し、上記第２回転体に設けられた被係合部に第２係合部が係合することで回転外力を第２回転体に伝達可能となる第２ツマミとを有する。
好適に、上記ツマミ軸体と上記第１回転体、上記第２ツマミと上記第２回転体は、それぞれの組ごとに、係合部位の大きさが異なる複数の第２係合部と複数の被係合部とを有することで、上記ツマミ軸体と上記第１回転体、上記第２ツマミと上記第２回転体のそれぞれの組で、軸回転方向の相対的な位置が一意に決められる。具体的に、上記ツマミ軸体と上記第２ツマミの各々は、上記第１または第２回転体に設けた対応するピン穴に適合し大きさが異なる径の複数のピンを有し、上記ツマミ軸体に設けた中心ピン、上記ツマミ軸体と上記第２ツマミの一方に設けたピン、他方に設けたピンの順で、上記被操作物側に上記複数のピンの各先端が突出している。
【００１５】
このように構成された回転ツマミとディスクユニットを備えた撮像装置では、ディスクユニットの取り出しは、回転ツマミを引いて第１，第２係合部をディスクユニットと切り離して退避させた後に行う。
また、ディスクユニットの装着時に、同様に回転ツマミを退避させた状態で、ディスクユニットを撮像装置の筐体内に収容する。ディスクユニットが収容されたら、手前に引いていた回転ツマミの力を緩めると、付勢手段の押圧力により回転ツマミがディスクユニットに押し当てられる。このとき、まず、回転ツマミのツマミ軸体の第１係合部（中心ピン）が第１回転体の軸穴に落ち込み、軸合わせされる。つぎに、第１，第２ツマミを回すと、その一方側の第２係合部（ピン）がピン穴に落ち込み、続いて他方側の第２係合部（ピン）がピン穴に落ち込む。これにより、第１ツマミと第１ディスクの回転角が一致し、第２ツマミと第２ディスクの回転角が一致する。
【００１６】
これにより、第１ツマミに表示された光学フィルタと、第２ツマミに表示された光学フィルタとが重なって当該撮像装置のレンズマウント部の光軸に挿入された状態が実現する。以後、第１または第２ツマミを所定位置まで回すと、光軸に挿入されたフィルタが所望のフィルタに切り換わる。
【００１７】
【発明の実施の形態】
図１は、本発明の実施形態に係る放送用ポータブルビデオカメラの要部外観を示す側面図である。また、図２は、このカメラの要部外観を示す正面図である。
このカメラの筐体１は、その上部に把手２が一体に形成され、また底部に肩載せ用パッド３が固定されている。カメラ前面には、把手側にＶＦ取付けシュー４、筐体１の前パネル１ａの中央やや下寄り位置にレンズマウント部５が配置されている。
【００１８】
図１に示す筐体１の側パネル１ｂが取り外し可能になっており、その側パネル１ｂに、標準装備したディスクに保持された光学フィルタの表示ラベル６が貼着されている。図３に、表示ラベル６を拡大して示す。
本実施形態に係るカメラでは、５枚のＮＤ(neutral density) フィルタ、すなわちＣＬＥＡＲ，１／４ＮＤ，１／８ＮＤ，１／１６ＮＤおよび１／６４ＮＤが標準装備されている。ここで、ＮＤフィルタとは、可視光の全域にわたって均等な吸収特性を持ったフィルタであって、入射光の分光特性を変えることなく画像の濃淡（明るさ）を調整するために用いられる。ＣＬＥＡＲがフィルタリングなし、１／４ＮＤ，１／８ＮＤ，１／１６ＮＤおよび１／６４ＮＤは、それぞれ光量を１／４，１／８，１／１６，１／６４に低減するフィルタである。これら５枚のＮＤフィルタは、後述するように、内蔵した１枚のＮＤフィルタディスクに保持されている。
さらに５枚のＣＣフィルタ、すなわちＣＲＯＳＳ，３２００Ｋ，４３００Ｋ，６３００Ｋおよび８０００Ｋが標準装備されている。ここで、ＣＣフィルタとは、画像に像特殊効果を施したり色温度を変更するためのフィルタであり、“ＣＲＯＳＳ”は明るい箇所を十字状に裾引きさせる特殊効果用、他のフィルタは、表示した色温度を標準光の３２００Ｋに変換する色温度変更用である。これら５枚のＣＣフィルタは、後述するように、内蔵した１枚のＣＣフィルタディスクに保持されている。
【００１９】
この表示ラベル６の真横で、図２の前パネル１ａにおけるレンズマウント部５の斜め右上箇所に、光学フィルタの手動切換用の回転ツマミ１０がネジ止めされている。このカメラでは、上記フィルタディスク枚数に応じて２連同軸の回転ツマミ１０となっている。
【００２０】
図４に、カメラ筐体１の側パネル１ｂを外した状態におけるカメラ内の要部構成を示す。
カメラ筐体１内の前パネル１ａ側に、前記した２枚のフィルタディスクを回転自在に保持したディスクユニット３０が配置されている。ディスクユニット３０は、筐体内の２箇所の位置決めピン１ｃにより位置合わせされ、２本のネジ３６により筐体に固定されている。回転ツマミ１０の後方端が、ディスクユニット３０に連結している。
ディスクユニット３０の後方には、ＮＤフィルタディスクの駆動用のモータＭＴ１と回転位置検出用のポテンショメータＰＭ１、および、ＣＣフィルタディスクの駆動用モータＭＴ２と回転位置検出用のポテンショメータＰＭ２が配置されている。それぞれのモータおよびポテンショメータは、ディスクユニット３０の所定部位に、動力の伝達および回転位置検出が可能に結合している。
【００２１】
図４において、モータおよびポテンショメータの奥側にフィルタサーボ用の回路基板９が配置され、モータおよびポテンショメータの手前側に目隠し板７が配置され、筐体にビス止めされている。目隠し板７は、モータおよびポテンショメータを確認できるように覗き窓や切欠き部を有している。目隠し板７には、図１の表示ラベルと同様の内容が書かれたラベル７-1，７-2が、ＮＤフィルタ表示用とＣＣフィルタ表示用に分けて貼着されている。また、目隠し板７に、モータ制御のオン／オフ用のスイッチ８が設けられている。このスイッチがオフ状態ではフィルタ切換が回転ツマミによる手動のみとなり、このスイッチをオンすると手動のほかに外部スイッチの操作によるリモートでも行えるようになる。
【００２２】
図５は、ディスクユニット３０を前パネル側から見た正面図である。
このディスクユニット３０は、大まかには、ＮＤフィルタディスクＦＤ１およびＣＣフィルタディスクＦＤ２と、この２枚のディスクを軸３２を中心に回転自在に保持する保持体３３とからなる。
【００２３】
２枚のフィルタディスクＦＤ１，ＦＤ２それぞれには、各ディスクにつき５枚の各種フィルタＦが留め具３１により保持されている。各種フィルタＦの取付け順序は、一方の回転方向に図３のラベルに示した順となっている。なお、図５の最下方に位置するフィルタＦの中心がレンズマウント部５の光軸とほぼ一致する。
【００２４】
保持体３３は、前方と後方で回転軸３２を支持する軸支パネル３４と、軸支パネル３４と固定された側部３５を有する。
軸支パネル３４の右隅に円形窓が開口し、この開口から同軸で回転する２つの回転体、すなわち内側の第１回転体Ｒ１と外側の第２回転体Ｒ２とが表出している。この第１，第２回転体Ｒ１，Ｒ２に対し前記した回転ツマミ１０が連結する。
【００２５】
第１，第２回転体Ｒ１，Ｒ２、モータＭＴ１，ＭＴ２の各駆動軸、ポテンショメータＰＭ１，ＰＭ２の各軸、およびフィルタディスクＦＤ１，ＦＤ２との間に１５枚のギア、すなわちギアＧ１２，Ｇ１３，Ｇ２１，Ｇ２２，Ｇ３１，Ｇ３２，Ｇ４１，Ｇ４２，Ｇ５〜Ｇ１１が結合している。
ギアＧ１２とＧ１３は、回転軸３２を中心に前方と後方で独立に回転可能に配置されている。ギアＧ１２はフィルタディスクＦＤ１に固定され、ギアＧ１２はフィルタディスクＦＤ２に固定されている。同様に、ギアＧ２１とＧ２２、ギアＧ３１とＧ３２、ギアＧ４１とＧ４２も、同じ軸を中心に前方と後方で独立に回転可能に配置されている。このうちギアＧ４１は第１回転体Ｒ１と固定され、ギア４２は第２回転体Ｒ２と固定されている。
【００２６】
ギアＧ１２，Ｇ２１，Ｇ３１は順に結合し、ギアＧ３１はギアＧ４１，Ｇ５の双方と結合し、さらにギアＧ５はギアＧ６，Ｇ７の双方に結合している。ギアＧ６は、ＮＤフィルタ用のポテンショメータＰＭ１の軸と結合し、ギアＧ７は、ＮＤフィルタ用のモータＭＴ１の駆動軸と結合している。
また、ギアＧ１３，Ｇ２２は順に結合し、ギアＧ２２はギアＧ３２，Ｇ８の双方と結合している。ギアＧ３２はギアＧ４２と結合し、ギアＧ８はギアＧ９と結合し、さらにギアＧ９はギアＧ１０，Ｇ１１の双方に結合している。ギアＧ１０は、ＣＣフィルタ用のモータＭＴ２の駆動軸と結合し、ギアＧ１１は、ＣＣフィルタ用のポテンショメータＰＭ２の軸と結合している。
【００２７】
このように結合されたギアによる動力の伝達は、次のようにして行われる。
リモートの場合、ＮＤフィルタ用のモータＭＴ１からの動力は、ＭＴ１→Ｇ７→Ｇ５→Ｇ３１→Ｇ２１→Ｇ１２→ＦＤ１の経路を経て、ＮＤフィルタディスクＦＤ１に伝達される。さらに、この動力は途中のギアＧ５から、Ｇ５→Ｇ６→ＰＭ１の経路を経て、ＮＤフィルタ用のポテンショメータＰＭ１に伝えられ、これによりＮＤフィルタの回転位置検出がなされる。
同様に、ＣＣフィルタ用のモータＭＴ２からの動力は、ＭＴ２→Ｇ１０→Ｇ９→Ｇ８→Ｇ２２→Ｇ１３→ＦＤ２の経路を経て、ＣＣフィルタディスクＦＤ２に伝達される。さらに、この動力は途中のギアＧ９から、Ｇ９→Ｇ１１→ＰＭ２の経路を経て、ＣＣフィルタ用のポテンショメータＰＭ２に伝えられ、これによりＣＣフィルタの回転位置検出がなされる。
【００２８】
一方、手動の場合、第１回転体Ｒ１で受けた回転力は、Ｒ１→Ｇ４１→Ｇ３１→Ｇ２１→Ｇ１２→ＦＤ１の経路を経て、ＮＤフィルタディスクＦＤ１に伝達される。さらに、この回転力は途中のギアＧ３１から、Ｇ３１→Ｇ５→Ｇ６→ＰＭ１の経路を経て、ＮＤフィルタ用のポテンショメータＰＭ１に伝えられ、これによりＮＤフィルタの回転位置検出がなされる。
同様に、第２回転体Ｒ２で受けた回転力は、Ｒ２→Ｇ４２→Ｇ３２→Ｇ２２→Ｇ１３→ＦＤ２の経路を経て、ＣＣフィルタディスクＦＤ２に伝達される。さらに、この回転力は途中のギアＧ２２から、Ｇ２２→Ｇ８→Ｇ９→Ｇ１１→ＰＭ２の経路を経て、ＣＣフィルタ用のポテンショメータＰＭ２に伝えられ、これによりＣＣフィルタの回転位置検出がなされる。
【００２９】
図６は、この手動の際に操作され、第１，第２回転体Ｒ１，Ｒ２に回転力を付与する回転ツマミ１０の構造を示す拡大断面図である。
回転ツマミ１０は、その回転軸Ｘに沿ったツマミ軸体１１と、その外側に独立に軸回転する筒体１２とを有する。ツマミ軸体１１の前方端は筒体１２端面より前方に突き出しており、そのツマミ軸体１１の突出部に、径が比較的小さな第１の操作部（第１ツマミ１３）が固定されている。第１ツマミ１３の後方側に、径が比較的大きな第２の操作部１４が設けられている。この第２の操作部１４は、筒体１２と固定され、ツマミ軸体１１および第１ツマミ１３に対し独立に軸回転する。第２の操作部１４と筒体１２により、第２ツマミ１５が構成される。
なお、第２の操作部１４と筒体１２との軸方向の隙間において、ＥリングＥ１がツマミ軸体１１に固定されている。これにより、第１ツマミ１３は第２ツマミ１５から抜けない。
【００３０】
筒体１２より径が一回り大きな筒状の可動枠体１６が、筒体１２の外側に通されている。可動枠体１６は、筒体１２の後方端側で外側に突出した係止部に突き当てられ、前方端側がＥリングＥ２により固定され、これにより筒体１２に対し動かない。可動枠体１６は、その後方端１６ａと前方端１６ｂが、軸と直行し互いに平行なリング枠状に形成され、全体としてボビン形状を有する。
さらに、可動枠体１６の胴体に、軸方向距離が短い筒状の固定枠体１７が通されている。固定枠体１７の前方端から上下に１対の取付片１７ａが前パネル１ａの外面側に延び、取付片１７ａの各先端部が前パネル１ａの外面にビス止めされている。固定枠体１７は、取付片１７ａの根元に接したバネ係止部を有し、このバネ係止部と上記可動枠体１６の後方側のリング枠状部１６ａとの間に、バネ２０が装着されている。これにより、可動枠体１６は、固定枠体１７に対し後方側に付勢されている。図６（Ａ）では、上記可動枠体１６の前方側のリング枠状部１６ｂが、取付片１７ａの外面に当接することで、このバネ２０の付勢力に対抗するストッパとして機能している。この図６（Ａ）状態が、外部から力を加えていない定常状態である。
【００３１】
ツマミ軸体１１は、その後方側端面の回転軸中心に、第１係合部として中心ピン１１ａを有する。また、中心ピン１１ａの周回方向の所定位置、ここでは中心ピン１１ａを挟んで両側に、第２係合部として１対の回転合わせピン１１ｂ，１１ｃが設けられている。回転合わせピンの径は、その一方１１ｂが他方１１ｃより大きく設定されている。
また、筒体１２は、その後方側端面の所定位置、ここでは回転軸Ｘを挟んで両側の位置に、第２係合部として１対の回転合わせピン１２ａ，１２ｂが設けられている。回転合わせピンの径は、その一方１２ａが他方１２ｂより大きく設定されている。
これらのピンの先端は、中心ピン１１ａ，ツマミ軸体１１の回転合わせピン１１ｂ，１１ｃ、筒体１２の回転合わせピン１２ａ，１２ｂの順で、ディスクユニット側に突出している。
【００３２】
図６（Ｂ）に、これら回転ツマミ側のピンに対応してピン穴が設けれた、ディスクユニット３０の第１，第２回転体の拡大図を示す。
第１回転体Ｒ１の中心に、上記中心ピン１１ａに適合する径の軸穴Ｈ１ａが形成されている。また、第１回転体Ｒ１の軸穴Ｈ１ａを挟んだ両側に、上記ピン１１ｂに適合する径のピン穴Ｈ１ｂと、上記ピン１１ｃに適合する径のピン穴Ｈ１ｃとが形成されている。
また、第２回転体Ｒ２の回転軸を挟んだ両側に、上記ピン１２ａに適合する径のピン穴Ｈ２ａと、上記ピン１２ｂに適合する径のピン穴Ｈ２ｂとが形成されている。
【００３３】
以下、ディスクユニットの取り外しおよび取り付け動作を、回転ツマミとの連結時の操作を含めて説明する。
図７は、ディスクユニットをカメラから取り外した際の正面図である。
ディスクユニットの取り出しでは、まず、カメラ筐体１の側パネル１ｂを外した後、図４のようにディスクユニット３０を固定していた２本のビス３６を緩める。
【００３４】
つぎに、第１ツマミ１３または第２ツマミ１５を手でもって、図４に示すように、回転ツマミ１０を手前側に引く。すると、バネ２０が縮むとともに、第１，第２ツマミ１３，１５、ツマミ軸体１１および可動枠体１６が前方に移動する。これにより、図６（Ａ）と（Ｂ）の関係で連結されていた回転ツマミ１０がディスクユニット３０の第１，第２回転体Ｒ１，Ｒ２から切り離され、かつ、前方に若干退避する。
この状態で、図７に示すように、ディスクユニット３０を真横に引き出す。
【００３５】
ディスクユニット３０を装着するときは、上記と同様に回転ツマミ１０を前方に引いて退避させた状態で、ディスクユニット３０をカメラ筐体１内に差し込む。このとき、第１，第２回転体Ｒ１，Ｒ２が前方上側にくるように、あるいは位置決めピン１ｃの別で上下を確認しながら、ディスクユニット３０を筐体１内に収容する。上下が逆だと位置決めピン１ｃが邪魔してディスクユニット３０が最後まで差し込めないので、再度やり直す。
ディスクユニット３０がきちんと収容されたら、手前に引いていた回転ツマミ１０の力を緩めると、バネ２０の力により回転ツマミ１０がディスクユニット３０に押し当てられる。このとき、最初に、最も突出しているツマミ軸体１１の中心ピン１１ａが第１回転体Ｒ１の軸穴Ｈ１ａに落ち込み、軸合わせされる。軸合わせ後に、第１，第２ツマミ１３，１５を回すと、次に突出量が大きい筒体１２のピン１２ａ，１２ｂが、対応するピン穴Ｈ２ａ，Ｈ２ｂに落ち込む。そして、さらに第１ツマミ１３を回すと、ツマミ軸体１１の他のピン１１ｂ，１１ｃが、対応するピン穴Ｈ１ｂ，Ｈ１ｃに落ち込む。これにより、回転ツマミ１０とディスクユニット３０の連結が完了し、第１ツマミ１３とフィルタディスクＦＤ１の回転角が一致し、第２ツマミ１５とフィルタディスクＦＤ２の回転角が一致する。
【００３６】
第１ツマミ１３に表示された光学フィルタと、第２ツマミ１５に表示された光学フィルタとが重なってレンズマウント部５の光軸に挿入された状態が実現する。以後、第１または第２ツマミ１３，１５を所定位置まで回すと、その回転力が図５に示し先に説明した手動時の動力経路を伝わってフィルタディスクＦＤ１，ＦＤ２を回し、その結果、光軸に挿入されたフィルタが所望のフィルタに切り換わる。
また、図５に示し先に説明したリモート時の動力伝達により、スイッチ操作によるリモートでフィルタ切り換えを行うことができる。
【００３７】
本実施形態に係るカメラでは、フィルタディスクをユニットごと着脱できる構造としながら、フィルタディスク駆動をリモートでも手動でもできるようになった。ディスクユニットの取り出しは、ネジを緩めた後、回転ツマミを引きながらディスクユニットを真横に引き出すだけでよく、簡単に行うことができる。また、ユニット装着は、回転ツマミを引きながらディスクユニットを差し込んだ後、たとえば“カチッ”と音がするまで回転ツマミを無造作に回転させるだけでよく、簡単に行うことができる。
また、各フィルタＦは、留め具３１のネジを緩めることでディスクから容易に取り外しできるので、撮影対象等に応じて自由に組合せを変えることができる。これにより、種々のフィルタワークが可能となった。とくに手動のフィルタ切り換えができるので、絶妙のタイミングで迅速性が要求される高度なフィルタワークが可能となった。
さらに、図５に示すディスクユニット３０は、手動時の動力受け部（第１，第２回転体Ｒ１，Ｒ２）と、その連結ギアとを備えるものの、そのために表面に突出箇所が形成されることがなく、コンパクトな出来上がりとなっている。したがって、このリモートとマニュアルの切換が可能な機種のほか、マニュアル専用機種、さらにはリモート専用機種と、あらゆる機種に兼用して用いることができる。したがって、例えリモートまたはマニュアル専用のディスクユニットより部品点数は多くとも、開発費も含めてトータルとしてコスト削減が可能となる。
【００３８】
【発明の効果】
本発明に係る回転ツマミおよびディスク回転操作装置によれば、手動で被操作物の回転体に回転力を付与し、かつ、被操作物の着脱が可能な回転ツマミと、当該回転ツマミに適合した連結機構を有するディスク回転操作装置とを新たに提案できた。本発明に係る撮像装置によれば、上記回転ツマミを光学フィルタを保持したディスクの手動操作用ツマミに応用した撮像装置を新たに提供できた。この撮像装置では、筐体内へのディスクユニットの着脱が容易で、回転ツマミおよびディスクユニットの構造も余り複雑でない。また、ディスクユニットは表面に回転体が表出しているのみであり、リモート専用，マニュアル専用の機種、または両者の切換が可能な機種と、あらゆる機種に適合したディスクユニットとして使用できる。
【図面の簡単な説明】
【図１】実施形態に係る放送用ポータブルビデオカメラの要部外観を示す側面図である。
【図２】実施形態に係るカメラの要部外観を示す正面図である。
【図３】実施形態に係るカメラのフィルタ表示ラベルを示す図である。
【図４】実施形態に係るカメラの側パネルを外した状態における、内部の要部構成を示す図である。
【図５】実施形態に係るディスクユニットを前パネル側から見た正面図である。
【図６】実施形態に係る回転ツマミの構造を示す断面図、および、その回転ツマミと係合する第１，第２回転体のピン穴配置図である。
【図７】実施形態に係るカメラにおいて、ディスクユニットを取り外した際の正面図である。
【符号の説明】
１…筐体、１ａ…前パネル、１ｂ…側パネル、１ｃ…位置決めピン、２…把手、３…肩載せパッド、４…ＶＦ取付けシュー、５…レンズマウント部、６，７-1，７-2…表示ラベル、８…モータ制御スイッチ、９…回路基板、１０…回転ツマミ、１１…ツマミ軸体、１２…筒体、１１ａ…中心ピン（第１係合部）、１１ｂ，１１ｃ，１２ａ，１２ｂ…回転合わせピン（第２係合部）、１３…第１ツマミ、１４…操作部、１５…第２ツマミ、１６…可動枠体（枠体）、１６ａ，１６ｂ…リング状部、１７…固定枠体（枠体）、１７ａ…取付け片、２０…バネ（付勢手段）、３０…ディスクユニット、３１…留め具、３２…回転軸、３３…保持体、３４…軸止パネル、３５…側部、３６…ビス、ＰＭ１，ＰＭ２…ポテンショメータ、ＭＴ１，ＭＴ２…モータ、ＦＤ１，ＦＤ２…フィルタディスク、Ｆ…光学フィルタ、Ｇ１１等…ギア、Ｒ１…第１回転体、Ｒ２…第２回転体、Ｈ１ａ…軸穴、Ｈ１ｂ等…回転合わせ穴、Ｘ…軸。
【図１】
0004439684.tif 000002
【図２】
0004439684.tif 000003
【図３】
0004439684.tif 000004
【図４】
0004439684.tif 000005
【図５】
0004439684.tif 000006
【図６】
0004439684.tif 000007
【図７】
0004439684.tif 000008